(57)【要約】【課題】  従業員の手間を少なくしながら、計数装置に対して不正操作を行って、ごまかした獲得遊技媒体の計数値が不正遊技者のものにならないようにする計数装置を提供することである。【解決手段】  投入された遊技媒体を計数する機能と、その計数結果を出力する機能と、予め設定されたＩＤを記憶する機能と、当該装置の監視者が携帯するＩＣタグとの間で通信する無線通信する機能と、この無線通信を介してＩＤを検出する機能と、無線通信を介して上記設定されたＩＤが検出されたとき、上記計数結果を出力可能状態にする機能と、計数結果の出力可能状態において上記設定されたＩＤが検出されないとき、計数結果の出力を禁止状態にする機能とを備えた。【選択図】  図２
2006197980.tif 000002
【特許請求の範囲】
【請求項１】
投入された遊技媒体を計数する機能と、その計数結果を出力する機能と、予め設定されたＩＤを記憶する機能と、当該装置の監視者が携帯するＩＣタグとの間で通信する無線通信する機能と、この無線通信を介してＩＤを検出する機能と、無線通信を介して上記設定されたＩＤが検出されたとき、上記計数結果を出力可能状態にする機能と、計数結果の出力可能状態において上記設定されたＩＤが検出されないとき、計数結果の出力を禁止状態にする機能とを備えた遊技媒体の計数装置。
【請求項２】
上記遊技媒体を計数する機能および計数結果を出力する機能を有する計数機本体を備えるとともに、この計数機本体とは別体にしたＩＤ検出機本体を備え、このＩＤ検出機本体には、上記予め設定されたＩＤを記憶する機能と、上記無線通信する機能と、この無線通信を介してＩＤを検出する機能と、無線通信を介して上記設定されたＩＤが検出されたか否かを判定する機能と、上記設定されたＩＤを検出したとき、上記計数結果を出力可能状態にするための制御信号を上記計数機本体に対して出力する機能と、計数結果の出力可能状態において上記設定されたＩＤが検出されないとき、計数結果の出力を禁止状態にするための制御信号を上記計数機本体に対して出力する機能とを備えた請求項１に記載の遊技媒体の計数装置。
【発明の詳細な説明】
【技術分野】
【０００１】
この発明は、遊技場で、遊技者が獲得した遊技媒体数を計数するための遊技媒体の計数装置に関する。
【背景技術】
【０００２】
パチンコ店などの遊技場において、遊技者が獲得したパチンコ玉、メダル等の遊技媒体を計数する計数装置に対する不正行為を行うことがある。上記計数装置に対する不正行為とは、例えば、遊技媒体を計数中の計数装置に対して外部から無線信号を発信して計数を狂わせ、実際よりも多く計数させる行為である。計数装置は、計数作業が終わると、自動的にその計数結果をプリントしてレシートとして出力したり、遊技者の会員カードに記録したりするようにしているので、外部信号によって多く計数した場合には、その結果を出力することになる。
【０００３】
不正行為を防止するために、遊技媒体の計数を、遊技者が勝手に行うことができないようにしている遊技場が多い。例えば、計数装置は、通常、遊技者によって勝手に操作できないように動作禁止状態にしておき、遊技者が遊技媒体の計数を行いたいときには、呼び出しボタンなどで監視者である従業員を呼び出さなければならない。呼び出された従業員が専用のキーやリモコンによって動作禁止状態を解除するようにする（特許文献１、２参照）。そして、計数装置への遊技媒体を投入は、従業員が行うか、あるいは、従業員の監視の下で、遊技者が自分の獲得遊技媒体を計数装置へ投入するようにしているところもある。そして、計数中は、従業員が計数装置を監視し、計数装置は、計数後、自動的に計数結果を出力する。
【０００４】
しかし、上記の装置では、従業員が、呼び出されるたびに計数装置の動作禁止状態を解除するためのキー操作などを必要とし、その手間がかかる。そこで、最近は、従業員が、意識的に動作禁止状態を解除するための操作をしなくても、計数装置を動作可能状態にするために、従業員が携帯するＩＣタグから発信される特定のＩＤ信号によって計数装置が動作するようにしたものが考えられている。このような計数装置は、従業員が携帯するＩＣタグから発信されるＩＤを読み取る読み取り部を内蔵し、この読み取り部が、従業員が携帯するＩＣタグの特定のＩＤを読み取ると、自動的に計数動作可能状態なるようにしている。つまり、上記ＩＣタグを携帯した従業員が、読み取り部の読み取り可能な通信エリア内に入ったら、計数装置が動作可能となる。上記通信エリアを、数１０（ｃｍ）〜１（ｍ）くらいにしておけば、その通信エリア内で、従業員は計数装置を監視することができる。従業員が監視していれば、遊技媒体の計数中に、遊技者が不正操作を行うことは困難になる。また、従業員は計数装置の近くに行けば、特別な操作をしなくても、計数装置の動作禁止状態を解除することができる。
【特許文献１】特開２００１−８７５２６号公報
【特許文献２】特開２００１−２１８９７３号公報
【発明の開示】
【発明が解決しようとする課題】
【０００５】
上記のように、従業員のＩＣタグからのＩＤを読み取って、動作可能状態になり、計数後、自動的に結果を出力する計数装置では、次のような問題があった。例えば、遊技者に呼び出された従業員ではなく、たまたま、通りかかった従業員が、特定の計数装置に内蔵されたＩＤ読み取り部の通信エリア内にＩＣタグを携帯した場合に、対応する計数装置が動作可能状態になってしまうことがある。その従業員が、計数装置が計数可能状態になったことに気づかないで、他の場所へ行ってしまった場合、そのタイミングを狙っていた不正者が、遊技媒体を投入し、計数装置に計数を開始させることができる。そして、計数中に、計数装置に対して誤動作を起こさせるための無線信号を送信して、計数値をごまかせば、計数装置はその計数結果をレシートなどに出力された計数結果を自分のものとすることができる。
【０００６】
この発明の目的は、従業員の手間を少なくしながら、計数装置に対して不正操作を行って、ごまかした獲得遊技媒体の計数値が不正遊技者のものにならないようにする計数装置を提供することである。
【課題を解決するための手段】
【０００７】
第1の発明は、投入された遊技媒体を計数する機能と、その計数結果を出力する機能と、予め設定されたＩＤを記憶する機能と、当該装置の監視者が携帯するＩＣタグとの間で通信する無線通信する機能と、この無線通信を介してＩＤを検出する機能と、無線通信を介して上記設定されたＩＤが検出されたとき、上記計数結果を出力可能状態にする機能と、計数結果の出力可能状態において上記設定されたＩＤが検出されないとき、計数結果の出力を禁止状態にする機能とを備えた点に特徴を有する。
【０００８】
第２の発明は、上記第1の発明を前提とし、上記遊技媒体を計数する機能および計数結果を出力する機能を有する計数機本体を備えるとともに、この計数機本体とは別体にしたＩＤ検出機本体を備え、このＩＤ検出機本体には、上記予め設定されたＩＤを記憶する機能と、上記無線通信する機能と、この無線通信を介してＩＤを検出する機能と、無線通信を介して上記設定されたＩＤが検出されたか否かを判定する機能と、上記設定されたＩＤを検出したとき、上記計数結果を出力可能状態にするための制御信号を上記計数機本体に対して出力する機能と、計数結果の出力可能状態において上記設定されたＩＤが検出されないとき、計数結果の出力を禁止状態にするための制御信号を上記計数機本体に対して出力する機能とを備えた点に特徴を有する。
【発明の効果】
【０００９】
第１の発明によれば、従業員などの監視者が監視していない状態では、遊技媒体の計数装置の計数結果を出力しないようにできる。そのため、遊技者が、従業員がいないときに計数装置を操作して、計数結果をごまかすような不正を行ったとしても、その計数結果が出力されないので、ごまかした計数結果を自身の獲得遊技媒体数とすることができない。このように、ごまかした計数結果を自分のものにできなくなれば、計数装置に対する不正操作を行う意味もなくなるので、計数装置への不正行為そのものも防止できるようになる。
【００１０】
第２の発明によれば、計数機本体を、既存の計数装置の制御プログラムを変更することによって実現できるので、無線通信機能や、ＩＤ検出機能などを組み込んだ新たな計数機本体を製造するよりも、計数装置全体の製造コストを低く抑えることができる。また、遊技場においても、既存の計数装置を計数機本体として利用できれば、プログラムの変更と、追加部分のみの設置で済み、新システムの導入コストを抑えることができる。
【発明を実施するための最良の形態】
【００１１】
図１に、この発明の第１実施形態を示す。
この発明の計数装置２０は、図１に示す計数機本体１と、ＩＤ検出機本体５とによって構成される。計数機本体１は、遊技媒体を計数する機能を有する計数部３と、この計数部３の計数結果をプリントするこの発明の計数結果を出力する機能を有するプリント部４と、これら計数部３およびプリント部４の動作を制御する動作制御部２とを備えている。そして、上記計数機本体１の動作制御部２は、後で説明するＩＤ検出機本体５の判定部９と連携している。
また、ＩＤ検出機本体５は、ＩＤを無線通信によって受信するためのこの発明の無線通信機能を有する通信部６と、この通信部６を介して上記ＩＤを検出する機能を有するＩＤ検出部７、計数装置の監視者である従業員に対応して設定された特定のＩＤを記憶したＩＤ記憶部８および判定部９を備えている。このＩＤ記憶手段が記憶している特定のＩＤが、この発明の予め設定されたＩＤである。
【００１２】
上記判定部９は、上記ＩＤ記憶部８が記憶しているＩＤを、上記ＩＤ検出部７が検出したか否かを判定し、特定のＩＤを検出したと判定したときには、計数機本体１の動作制御部２に対して、プリント部４を動作可能状態に設定するための制御信号を出力し、上記特定のＩＤを検出できないときには、上記プリント部４を動作禁止状態に設定するための制御信号を出力する機能を備えている。そして、動作制御部２は、上記判定部９から受信した信号に応じて、プリント部４を動作可能状態に設定したり、動作禁止状態に設定したりする。
【００１３】
具体的には、判定部９は、ＩＤ検出部７がＩＤを検出したかどうかをＩＤ検出部７に問い合わせ、ＩＤ検出部７が、通信部６を介してＩＤを検出した場合には、その検出したＩＤをＩＤ記憶部８が記憶しているＩＤと対比し、ＩＤ検出部７が上記特定のＩＤを検出したか否かを判定する。もしも、通信部６が、いずれのＩＤも受信していない場合には、ＩＤ検出部７が、上記特定のＩＤを検出しなかったと判断し、ＩＤ検出部７がＩＤを検出していないことも、ＩＤの検出結果のひとつとする。ＩＤ検出部７が、いずれのＩＤも検出していない場合にも、上記特定のＩＤを検出していない場合と同じなので、判定部９は、上記プリント部４を動作禁止状態設定する信号を出力し、動作制御部２が、プリント部４を動作禁止状態に保つ。
【００１４】
そして、判定部９は、ＩＤ検出部７へ、その検出結果を問い合わせる場合を上記したが、ＩＤ検出部７が、ＩＤを検出した場合に、その検出結果を判定部９へ入力するようにしてもよい。
また、この第１実施形態においては、動作制御部２が、プリント部４を動作可能状態に設定する際に、計数部３も動作可能状態に設定するものとする。ただし、計数部３を動作可能状態に制御する方法はこれに限らない。例えば、遊技媒体を投入するホッパーにシャッターを設けないで、計数部３を常時動作可能状態にしておいてもよい。
【００１５】
なお、図中符号１０は、遊技媒体の計数時に立ち会いを許可された従業員が携帯するＩＣタグであり、上記特定のＩＤを記憶し、そのＩＤを、上記ＩＤ検出機本体５の通信部６に対して無線送信する機能を備えている。このＩＣタグ１０は、無線送受信用のアンテナを備え、上記通信部６からの問い合わせ信号を受信したら、それに応答するようにして自身が記憶しているＩＤを発信するようにしている。あるいは、ＩＣタグ１０が、自ら定期的にＩＤを発信するようにしてもよい。
上記ＩＣタグ１０と通信部６との間の無線通信は、例えば数１０（ｃｍ）〜１（ｍ）くらいで、従業員が計数装置の計数状態を監視できる近距離を通信エリアＥ１（図１参照）とする通信である。従って、ＩＣタグ１０が、計数装置近傍の通信エリアＥ１内に入ったときにのみ、ＩＣタグ１０が記憶している特定のＩＤが、ＩＤ検出機本体５のＩＤ検出部７へ入力される。
【００１６】
以下に、この計数装置を用いて、遊技媒体を計数する手順を説明する。
遊技者が、獲得した遊技媒体を計数したくなったら、計数装置の呼び出しボタンなどで、従業員を呼び出す。従業員が計数装置の近くに来て、上記通信エリアＥ１内に入ったら、ＩＣタグ１０から発信されたＩＤをＩＤ検出部７が検出する。ＩＤ検出部７が、ＩＣタグ１０から発信された特定のＩＤを検出したので、判定部９は、上記特定のＩＤを検出したことを判定して、動作制御部２に対して、プリント部４を動作可能状態に設定させる制御信号を出力する。
動作制御部２は、上記判定部９からの信号を受信して、計数部３およびプリント部４を動作可能状態に設定する。
【００１７】
そこで、遊技者または従業員が遊技媒体を投入すると、計数部３が計数を始め、計数終了後、計数結果を出力する。計数結果は、動作制御部２を介してプリント部４へ入力され、プリント部４は、入力された計数結果をレシートにプリントして出力する。
この間、ＩＣタグ１０を携帯した従業員は、通信エリアＥ１内にいて、計数装置の計数状態を監視しているそのため、遊技者が、この計数装置に対して、不正操作を行うことはできない。
【００１８】
なお、上記判定部９は、計数部３の計数動作中、非動作中にかかわらず、所定間隔で、ほぼ連続的に、ＩＤ検出部７が特定のＩＤを検出しているか否かを判定し、その検出結果に応じた信号を出力するようにしている。
そのため、従業員が携帯するＩＣタグ１０が、通信エリアＥ１内に位置して、判定部９から出力される信号によってプリント部４および計数部３が、動作可能状態に設定された後、従業員が、計数装置から離れ、通信エリアＥ１外に出た場合には、ＩＤ検出部７がＩＣタグ１０からの特定のＩＤを検出できなくなったことを、判定部９が判定できる。判定部９は、上記特定のＩＤを検出していないと判定したら、プリント部４を動作禁止状態に設定させるための信号を動作制御部２へ出力する。つまり、ＩＣタグ１０が通信エリアＥ１外へ移動したときには、プリント部４が動作禁止状態となるので、従業員が監視していない状態で計数結果を出力させることはできない。
【００１９】
このように、従業員の監視下でなければ、計数結果を出力できないようにしているので、計数中に不正操作をして計数値をごまかしたとしても、その結果を出力する際に、従業員に見破られてしまう可能性がある。そのため、不正操作によって得られた計数結果を、そのまま不正な遊技者のものとして出力することができなくなるとともに、計数中の不正操作も、防止できることが期待できる。
【００２０】
なお、この第１実施形態では、計数部３およびプリント部４を備えた計数機本体１と、ＩＤ検出機本体５とを別体にし、計数機本体１の操作制御部２へ、ＩＤ検出機本体５から制御信号を入力して、プリント部４を制御するようにしている。このような計数機本体１は、既存の計数装置における動作制御部のプログラムを、外部から入力される信号に応じてプリント部４を制御するように書き換えるだけで実現できる。そのため、既存の計数機を利用すれば、計数装置の製造あるいは設置コストを抑えることができる。
また、上記計数機本体１として用いる既存の計数装置が、ホールコンピュータシステムとして、ＬＡＮ等でネットワーク接続されている場合には、上記計数機本体１とＩＤ検出機本体５とを直接接続しなくても、このネットワーク上に、ＩＤ検出機本体５を接続してもよい。この場合、既存の計数装置がＬＡＮ以外の通信ポートを有していない場合でも、ＩＤ検出機本体と通信させることができる。
また、ＩＤ検出機本体は、ＩＤの検出範囲を考慮して、計数装置近くに設置すればよく、設置場所を選ぶこともできる。
【００２１】
図２に示す第２実施形態は、この発明の計数装置の機能を、１つの装置本体１１内に設けた例である。
装置本体１１には、動作制御部１２と、これに接続した計数部１３、プリント部１４、ＩＤ検出部１６、ＩＤ記憶部１７および通信部１５を備えている。
計数部１３およびプリント部１４は、それぞれ、上記第１実施形態の計数部３、プリント部４と同様の機能を有し、動作制御部１２によって、動作可能状態または動作禁止状態に設定される。
また、通信部１５は、従業員が携帯するＩＣタグ１０から特定のＩＤを受信する機能を備え、上記第１実施形態の通信部６と同様に機能する。そして、この通信部１５の通信エリアは、図２中Ｅ２で示し、図１のエリアＥ１と同様に、数１０（ｃｍ）〜１（ｍ）くらいとし、従業員が、計数装置の計数状態を監視できる距離である。
【００２２】
上記ＩＤ検出部１６は、通信部１５を介してＩＤを検出する機能を備え、ＩＤ記憶部１７は、第１実施例のＩＤ記憶部８と同様に、計数装置の監視者である従業員に対応した特定のＩＤを記憶している。
また、動作制御部１２は、ＩＤ検出部１６が、ＩＤ記憶部１７が記憶している特定のＩＤを検出したかどうかを判定するとともに、その判定結果に応じてプリント部１４および計数部１３の動作制御する機能を備えている。上記第１実施形態の動作制御部２と判定部９の機能とを兼ね備えている。
すなわち、動作制御部１２は、ＩＤ検出部１６が、ＩＣタグ１０から、特定のＩＤを検出したと判定したときには、プリント部１４を動作可能状態に設定し、特定のＩＤを検出できなかったときには、プリント部１４を動作禁止状態に設定する。
【００２３】
このように構成することによって、この第２実施形態の計数装置も、ＩＣタグ１０が、通信エリアＥ２内に位置する場合、つまり、従業員が、通信エリアＥ２内に位置しているときにのみ、計数結果の結果出力手段であるプリント部１４を動作可能状態に設定し、それ以外のときには、動作禁止状態に設定する。そのため、この計数装置において計数された計数結果は、従業員の監視下でなければ、プリントされることがない。
従って、不正操作によって獲得した計数結果を、従業員が監視していない状態で、プリントしたシートを自分の物とすることはできない。
【００２４】
なお、上記第１、第２実施形態では、計数結果を出力する手段が、プリント部４、１４である例を説明しているが、結果出力手段はプリント部に限らない。検出結果を、シートにプリントするのではなく、遊技者の会員カードに記録したり、遊技場に設けた管理装置に会員の貯玉データとして記録したりすることもできる。その場合、会員カードへのデータの書き込みや、管理装置へのデータ入力が、この発明の結果出力機能となる。また、計数結果の出力として計数結果を表示するようにしてもよい。
【図面の簡単な説明】
【００２５】
【図１】第１実施形態の計数装置の構成図である。
【図２】第２実施形態の計数装置の構成図である。
【符号の説明】
【００２６】
１      計数機本体
２      動作制御部
３      計数部
４      プリント部
５      ＩＤ検出機本体
６      通信部
７      ＩＤ検出部
８      ＩＤ記憶部
９      判定部
１０    ＩＣタグ
１１    装置本体
１２    動作制御部
１３    計数部
１４    プリント部
１５    通信部
１６    ＩＤ検出部
１７    ＩＤ記憶部
２０    計数装置
【図１】
2006197980.tif 000003
【図２】
2006197980.tif 000004